(57)【要約】      （修正有）【課題】年代毎に分割して一冊あたりの厚さを薄くして編集をやり易くし、記録する所望の箇所を探し易くする。【解決手段】人生の年代毎に人生に係る情報を記録可能な複数のファイル単体１０と、ファイル単体１０を年代順に並べて収納可能な箱体とを備えて構成し、ファイル単体１０を、人生に係る情報を記録可能な記録面を有した内紙１１と、表紙１２，裏表紙１３及び背表紙１４を有し内紙１１を覆うカバー１５とを備えて構成し、カバー１５の少なくとも背表紙１４の表面に、各ファイル単体１０に記録される情報に係る年代を表示する年代表示部２２を備えた。【選択図】図１
0003110198.tif 000002
【実用新案登録請求の範囲】
【請求項１】
人生に係る情報を記録可能な人生記録ファイルにおいて、
人生の年代毎に人生に係る情報を記録可能な複数のファイル単体と、該ファイル単体を年代順に並べて収納可能な箱体とを備えて構成したことを特徴とする人生記録ファイル。
【請求項２】
上記ファイル単体を、人生に係る情報を記録可能な記録面を有した内紙と、表紙，裏表紙及び背表紙を有し上記内紙を覆うカバーとを備えて構成し、該カバーの少なくとも上記背表紙の表面に、上記各ファイル単体に記録される情報に係る年代を表示する年代表示部を備えたことを特徴とする請求項１記載の人生記録ファイル。
【請求項３】
上記ファイル単体の内紙の側縁に、該内紙の記録面に記録される情報に係る年齢を表示した見出しを突出して設けたことを特徴とする請求項２記載の人生記録ファイル。
【請求項４】
上記ファイル単体の内紙のうち少なくとも１枚の内紙の記録面に、該ファイル単体の年代の年齢が順に記載された年齢表示欄と該年齢表示欄に記載された年齢に対応する年において該年齢に係る記録の要約を記載可能な記載欄とを有した一覧表を設けたことを特徴とする請求項２または３記載の人生記録ファイル。
【請求項５】
上記ファイル単体を、上記内紙を上記カバーに対して加除可能に保持する保持部を備えて構成したことを特徴とする請求項２，３または４記載の人生記録ファイル。
【請求項６】
上記箱体を、上記複数のファイル単体が入れられる箱本体と、該箱本体に対して開閉可能な蓋体とを備えて構成したことを特徴とする請求項１，２，３，４または５記載の人生記録ファイル。
【請求項７】
上記蓋体に、把持可能な把手を設けたことを特徴とする請求項６記載の人生記録ファイル。
【請求項８】
上記蓋体を、上記箱本体に対して施錠可能な錠機構を設けたことを特徴とする請求項６または７記載の人生記録ファイル。
【考案の詳細な説明】
【技術分野】
【０００１】
本考案は、人生に係る過去の出来事や将来の計画等の情報を記録可能な人生記録ファイルに関する。
【背景技術】
【０００２】
従来、この種の人生記録ファイルとしては、例えば、特許文献１（実登３０１４９５８号公報）に記載されたものが知られている。
【０００３】
図１１に示すように、この従来の人生記録ファイルは、アルバム１と、このアルバム１に貼付する年譜表２と、メモリー表３とからなる。
アルバム１は、台紙４と、複数枚の台紙４を容易に着脱できるファイル装備５とを備えている。また、台紙４は、容易に貼剥できる粘着剤を塗布した板紙６と板紙６を被う透明フィルム７とからなる。
【０００４】
年譜表２には、各人の過去の思い出や出来事を自ら記載する欄や国内外の歴史的年表等を印刷したフォーマット用紙を用いる。このフォーマット用紙には、西暦や年号等を表示した年代表示欄２ａや自分の過去の思い出や出来事・過去に経験した事柄等を自ら記載する記載欄２ｂ等を予め印刷しておく。
一方、アルバム１に貼付するメモリー表３は、世俗的な事象年表等を印刷したフォーマット用紙を用いる。このフォーマット用紙には、西暦や年号等を表示した年代表示欄３ａ、当時の世俗的事柄等を表示した記録表示欄３ｂを予め印刷しておく。
【０００５】
この人生記録ファイルを用いる場合には、古い日記帳や手帳のメモや様々な記念資料を見ながら、年譜表２の記載欄２ｂ等に思い出深い出来事等を記載していく。
そして、アルバム１の台紙４に年譜表２やメモリー表３を貼付していく。この際、年譜表２やメモリー表３を台紙４に貼付したときの台紙４の余白部分８に、思い出の写真や、学校の成績表、会社の辞令、賞状等やこれらを縮小コピーしたもの等の記念物９を貼付する。
【０００６】
【特許文献１】実登３０１４９５８号公報
【考案の開示】
【考案が解決しようとする課題】
【０００７】
ところで、このような人生記録ファイルにあっては、人生の全ての年代に係る情報が１冊のアルバム１に収められているので、中身が多くなるとアルバム１が厚くなってかさばってしまう。そのため、アルバム１に新たに追加したい情報がある場合に、追加箇所を探しにくくなり、編集がやりにくいという問題があった。また、アルバム１の中に記録された情報を見返す場合にも、アルバム１が厚くなってかさばるので、記録された情報のある箇所が探しにくく見にくくなってしまうという問題があった。
【０００８】
本考案は上記の問題点に鑑みて為されたもので、年代毎に分割して一冊あたりの厚さを薄くして編集をやり易くし、記録する所望の箇所を探し易くして見易くするようにした人生記録ファイルを提供することを目的とする。
【課題を解決するための手段】
【０００９】
このような目的を達成するための本考案の人生記録ファイルは、人生に係る情報を記録可能な人生記録ファイルにおいて、人生の年代毎に人生に係る情報を記録可能な複数のファイル単体と、該ファイル単体を年代順に並べて収納可能な箱体とを備えて構成している。
【００１０】
人生記録ファイルに情報を記録する場合には、例えば、記録しようとする情報に係るファイル単体を箱体から取り出す。次に、過去の出来事や未来の計画等の情報をファイル単体の年代毎に記録する。
この場合、記録しようとする情報は、この情報の年代に係るファイル単体に記録されるので、記録された情報が多くなっていっても、一冊のファイルに全ての年代の情報を記録する場合に比較して、一冊あたりのファイルの厚さが薄くなる。そのため、情報を記録する所望の箇所が見つけ易くなり、ファイル単体への情報の記録が容易に行なわれ、編集が容易になる。
【００１１】
そして、情報の記録後に、ファイル単体を箱体に収納する。そのため、ファイル単体の非使用時には、箱体に収納されるのでファイル単体ひとまとめにしておくことができ、ファイル単体が分散しにくくなり、ファイル単体の紛失を防止することができる。
この記録した情報を見返す際には、箱体からファイル単体を取り出し、ファイル単体に記録された情報を探して見返す。この場合、ファイル単体は、年代毎に情報が記録され、全ての年代の情報を一冊に記録した場合に比較して、一冊あたりのファイルの厚さが薄くなるので、ファイル単体中の見返したい情報が記録された箇所を容易に探すことができ、ファイル単体の中身が見易くなる。
【００１２】
また、必要に応じ、上記ファイル単体を、人生に係る情報を記録可能な記録面を有した内紙と、表紙，裏表紙及び背表紙を有し上記内紙を覆うカバーとを備えて構成し、該カバーの少なくとも上記背表紙の表面に、上記各ファイル単体に記録される情報に係る年代を表示する年代表示部を備えて構成している。
この場合、情報をファイル単体に記録したり記録された情報を見返したりする際に、ファイル単体の中身を確認しなくても背表紙の年代表示部を見るだけでファイル単体に記録された情報に係る年代を判別できるので、箱体から即座に所望の年代のファイル単体を取り出すことができる。そのため、記録する所望の箇所を探し易くなりファイル単体の中身も見易くなる。また、内紙がカバーで覆われるので、内紙が汚れにくくなり、保管が容易になる。
【００１３】
更に、必要に応じ、上記ファイル単体の内紙の側縁に、該内紙の記録面に記録される情報に係る年齢を表示した見出しを突出して設けている。
この場合、突出した見出しを用いて内紙をめくると、情報を記録したい内紙を含む当該年齢の内紙を即座に開くことができる。そのため、情報を記録する所望の内紙を見つけ易くなり、情報のファイル単体への記録が容易になる。また、見返したい情報を記録した内紙も見つけやすくなり、容易に記録した情報を見返すことができる。
【００１４】
また、必要に応じ、上記ファイル単体の内紙のうち少なくとも１枚の内紙の記録面に、該ファイル単体の年代の年齢が順に記載された年齢表示欄と該年齢表示欄に記載された年齢に対応する年において該年齢に係る記録の要約を記載可能な記載欄とを有した一覧表を設けている。
この場合、一覧表の過去の記載欄に、年齢に対応した過去の出来事の要約を記録するとともに、この出来事に対応する情報を内紙に記録する。また、一覧表の記載欄には、未来の計画も記録できる。そして、ファイル単体に記録された情報を見返す際には、一覧表の記載欄に記載された要約と年齢表示欄とを見て、それから、見返したい情報が記録された内紙を探す。この場合、一覧表を見ると、この年代にあった出来事が一目で分かるので、その年代の状況を容易に把握することができる。また、一覧表の年齢表示欄と記載欄とを見てから情報を探すことができ、見返したい情報を容易に探すことができる。
【００１５】
更にまた、必要に応じ、上記ファイル単体を、上記内紙を上記カバーに対して加除可能に保持する保持部を備えて構成している。
この場合、情報を内紙に記録する際に、情報を記録する内紙をカバーから外したうえで情報を内紙に記録できるので、ファイル単体への情報の記録が容易に行なわれる。また、記録した情報の量が多くて内紙が足りなくなった場合には、内紙を足しこの内紙を保持部で保持する。
【００１６】
そしてまた、必要に応じ、上記箱体を、上記複数のファイル単体が入れられる箱本体と、該箱本体に対して開閉可能な蓋体とを備えて構成している。
この場合、ファイル単体の非使用時は、各ファイル単体は箱本体と蓋体とで覆われているので、よりファイル単体が分散しにくくなり、ファイル単体の紛失が防止される。
【００１７】
また、必要に応じ、上記蓋体に、把持可能な把手を設けている。
そのため、蓋体を箱本体に装着した状態においては、把手を持つだけで人生記録ファイル全体を持ち運ぶことができ、持ち運びも容易になる。
更に、必要に応じ、上記蓋体を、上記箱本体に対して施錠可能な錠機構を設けている。
この場合、ファイル単体の非使用時には、錠機構により蓋体と箱本体とを施錠しておけば、秘密保持を確実にすることができる。
【考案の効果】
【００１８】
本考案の人生記録ファイルによれば、人生の年代毎に人生に係る情報を記録可能な複数のファイル単体を備えたので、全ての年代の情報を一冊に記録した場合に比較して、ファイル単体が薄くなるので、情報を記録する所望の箇所が見つけやすくなり、ファイル単体への情報の記録を容易に行なうことができ、編集を極めて容易に行なうことができるようになる。また、記録した情報を見返す際には、全ての年代の情報を一冊に記録した場合に比較して、一冊あたりのファイルの厚さが薄くなり、ファイル単体の中身が見易くなり、そのため、ファイル単体中の見返したい情報が記録された箇所を容易に見つけることができる。
【考案を実施するための最良の形態】
【００１９】
以下、添付図面に基づいて、本考案の実施の形態に係る人生記録ファイルについて詳細に説明する。
【００２０】
図１乃至図１０には、人生に係る情報を記録可能な人生記録ファイルを示している。
この人生記録ファイルは、人生の年代毎に人生に係る情報を記録可能な複数のファイル単体１０と、ファイル単体１０を年代順に並べて収納可能な箱体３０とを備えて構成されている。
ファイル単体１０は、人生に係る情報を記録可能な記録面１１ａを有した内紙１１と、表紙１２，裏表紙１３及び背表紙１４を有し内紙１１を覆うカバー１５とを備えて構成されている。実施の形態においては、ファイル単体１０は、０歳から１９歳までを記録する０から１０代編，２０から２９歳までを記録する２０代編，３０から３９歳までを記録する３０代編，４０から４９歳までを記録する４０代編，５０から５９歳までを記録する５０代編，６０から６９歳までを記録する６０代編，７０から７９歳までを記録する７０代編及び８０歳以降を記録する８０代編の８冊ある。
【００２１】
ファイル単体１０の内紙１１の側縁には、図２，図３，図５，図７及び図９に示すように、内紙１１の記録面１１ａに記録される情報に係る年齢を表示した見出し１６が突出して設けられている。各内紙１１の見出し１６は、図３に示すように、低い側の年齢の情報が記録された内紙１１から、高い側の年齢の情報が記録された内紙１１にかけて順次露出するように設けられている。
また、図４，図６，図８及び図１０に示すように、ファイル単体１０の内紙１１のうち少なくとも１枚の内紙１１の記録面１１ａには、年齢が順に記載された年齢表示欄１９と年齢表示欄１９に対応する年においてこの年齢に係る記録（例えば、過去の出来事，未来の計画）の要約を記載可能な記載欄２０とを有した一覧表１７が設けられている。実施の形態においては、この一覧表１７は、各ファイル単体１０において、最初のページを構成する。
この年齢表示欄１９に記載される年齢は、予め印刷され、行方向下側に向かって年齢が昇順に列記されている。また、年齢表示欄１９内であって、この年齢表示欄１９に印刷された年齢の上下には、記録者の年齢に対応する西暦及び元号が印刷されている。
また、記載欄２０は、年齢表示欄１９の列方向右側に３つ列設されている。
【００２２】
内紙１１のうち一覧表１７以外の記録面１１ａには、例えば、図３，図５，図７及び図９に示すように、写真（Ａ），手紙（Ｂ），学業成績証明書（Ｃ），合格証書及び新聞の切り抜き（Ｄ）等の人生の思い出や出来事を記録した記念物２１が貼付される。これらの記念物２１は、内紙１１に貼付されるかまたは、孔２８を設けて後述の保持部２６に直接保持される。これらの記念物２１は、現物であってもコピーしたものであってもよい。
【００２３】
また、カバー１５の少なくとも背表紙１４の表面には、各ファイル単体１０に記録される情報に係る年代を表示する年代表示部２２が備えられている。実施の形態においては、カバー１５には、その表紙１２及び背表紙１４の表面に年代表示部２２が備えられている。
更に、表紙１２には，人生記録ファイルへの記録者の名前が表示される著者表示部２４及び各ファイル単体１０のサブタイトルが表示されるサブタイトル表示部２５が設けられている。これらの年代表示部２２，著者表示部２４及びサブタイトル表示部２５は、予め印刷されている。
【００２４】
更に、ファイル単体１０は、内紙１１をカバー１５に対して加除可能に保持する保持部２６を備えて構成されている。保持部２６は、中央から左右に分離及び中央側に閉塞可能な一対のリング２７を備えた金具で構成されている。金具のリング２７は、図２乃至図１０に示すように、内紙１１に設けた孔２８に挿通される。
【００２５】
箱体３０は、図１に示すように、直方体状に形成され、複数のファイル単体１０が入れられる箱本体３１と、箱本体３１に対して開閉可能な蓋体３５とを備えて構成されている。各ファイル単体１０は、箱本体３１に並べて入れられ、この箱本体３１及び蓋体３５によりファイル単体１０全部が覆われる。
箱本体３１は、革で形成され、底壁（図示せず），前壁３２，両側壁３３及び後壁３４とを備えて構成され、その上部に前壁３２，両側壁３３及び後壁３４により形成されファイル単体１０が差し入れ可能な開口３１ａが傾斜形成されている。この箱本体３１には、ファイル単体１０がその背表紙１４が前壁３２側に向くようにして開口３１ａから差し入れられて収納される。そして、箱本体３１の前壁３２の高さは、背表紙１４の年代表示部２２が前壁３２から露出する高さに形成され、箱本体３１の両側壁３３の上端縁３３ａは、前壁３２から後壁３４に向かう傾斜面に形成されている。更に、箱本体３１の後壁３４は、前壁３２よりもその高さが高く形成されている。
【００２６】
蓋体３５は、上面３６，前面３７，両側面３８及び後面３９を備えて構成されている。前面３７は、後面３９よりもその高さが高く形成され、両側端面の端縁３８ａは前面３７から後面３９に向かう傾斜面に形成されている。上面３６には、把持可能な把手４０が形成されている。蓋体３５の上面３６であって、把手４０の周囲には、把手４０を前面３７側または後面３９側に倒して収納可能な溝４１が形成されている。
更に、蓋体３５の後面３９には、蓋体３５を箱本体３１の後壁３４に対して回動可能に軸支するヒンジ（図示せず）が設けられている。
箱体３０には、蓋体３５を、箱本体３１に対して施錠可能な錠機構４５が設けられている。錠機構４５は、蓋体３５の前面３７に設けられ鍵穴とこの鍵穴に差し入れられた鍵（図示せず）により回動するフック（図示せず）とを備えた一方部材４６と、箱本体３１の前壁３２に設けられ一方部材４６のフックを係止可能な他方部材４７とを備えて構成されている。
【００２７】
従って、実施の形態に係る人生記録ファイルを使用する場合には、例えば、図１に示すように、錠機構４５を鍵で解除して箱本体３１に対して蓋体３５を開け、そして、ファイル単体１０を箱本体３１から取り出す。
この際、ファイル単体１０の内紙１１を確認しなくても背表紙１５の年代表示部２２を見るだけでファイル単体１０に記載された記念物２１に係る年代を判別できるので、ファイル単体１０の中身を確認しなくても所望の年代のファイル単体１０を判別でき、記念物２１を貼付する内紙１１を容易に探すことができる。
【００２８】
次に、図４，図６，図８に示すように、過去の出来事等を、各ファイル単体１０の年代毎であって、内紙１１の記録面１１ａの一覧表１７の記載欄２０に記録していく。そして、図５，図７及び図９に示すように、一覧表１７の記載欄２０に記録した出来事に係る記念物２１を、この記念物２１が作成された際の年齢に対応する見出し１６が設けられた内紙１１の記録面１１ａに貼付する。
この際、ファイル単体１０の内紙１１に記録しようとする記念物２１は、この記念物２１の年代に係る年代のファイル単体１０に貼付されるので、記録された記念物２１が多くなっていっても、一冊のファイルに全ての年代の出来事を記録する場合に比較して、ファイル単体１０がかさばり難くなる。そのため、記念物２１を貼付する内紙１１を探しやすくでき、それだけファイル単体１０への記念物２１の記録が容易に行なわれる。
【００２９】
更に、この際、見出し１６を用いて内紙１１をめくると、記念物２１を記録したい内紙１１を含む当該年齢の内紙１１を即座に開くことができる。そのため、記念物２１を貼付する所望の内紙１１を探しやすくなり、記念物２１のファイル単体１０への貼付が容易になる。
また、内紙１１はカバー１５に対して加除可能に保持部２６で保持されているので、記念物２１を貼付する際に、貼り付ける内紙１１をカバー１５から外したうえで記念物２１を内紙１１に貼付できるので、記録面１１ａへの記念物２１の貼付が容易に行なわれる。
【００３０】
記念物２１の量が多くて、内紙が足りなくなった場合には、足りなくなった年齢に対応する年齢の見出し１６が設けられた内紙１１を足す。この場合、内紙１１を追加するページで、保持部２６のリング２７を左右に開き、内紙１１の孔２８をリング２７に通してリング２７を閉じる。そのため、内紙１１が足りなくなった場合であっても、足りなくなった年齢に対応する年齢の内紙１１を足せばよく、貼付したい記念物２１を記念物２１が作成された年齢に対応する見出し１６が設けられた内紙１１に確実に貼付することができる。
【００３１】
一方、図１０に示すように、未来の年齢の一覧表１７の記載欄２０には、例えば、マンションを建設する等のこれからの計画している出来事，目標及び願望等を記載する。この場合、これらの計画，目標及び願望等を行なったり達成したりするための準備の指針とすることができる。
このようにして、時が経って、ファイル単体１０に記録したい記念物２１ができる度に、あるいはこれらの記念物２１ある程度溜まった時に、これらの記念物２１をファイル単体１０に記録していく。
【００３２】
そして、記念物２１の記録後に、各ファイル単体１０を箱本体３１に収納し、蓋体３５を閉じるとともに錠機構４５で施錠する。
この場合、各ファイル単体１０は、箱本体３１と蓋体３５で覆われるのでファイル単体１０が分散し難くなり、紛失を防止することができる。また、錠機構４５で施錠して解錠しない限り蓋体３５が箱本体３１から開かないので、秘密を保持できる。また、蓋体３５に把手４０が設けられているので、持ち運びの際には、把手４０を把持すれば良く、容易に持ち運ぶことができる。
【００３３】
また、この記録した記念物２１を見返す際には、錠機構４５を解錠し、蓋体３５を箱本体３１から開けて所望のファイル単体１０を取り出し、ファイル単体１０の内紙１１に貼付された記念物２１を見返す。
この場合、表紙１２及び背表紙１４に設けた年代表示部２２を見れば、ファイル単体１０の中身を確認しなくても即座にファイル単体１０に記載された記念物２１の年代を判別できるので、記念物２１が記録されたファイル単体１０を容易に取り出すことができる。
更に、見出し１６を用いて内紙１１をめくると、記念物２１を記録したい内紙１１を含む当該年齢の内紙１１を即座に開くことができる。そのため、見返したい情報を記録した内紙１１を見つけやすくなり、容易に記録した情報を見返すことができる。
【００３４】
また、ファイル単体１０の内紙１１に貼付された記念物２１を見返す際には、一覧表１７の年齢表示欄１０に記載された年齢，西暦及び元号と記載欄２０に記載された要約とを見て、それから、見返したい記念物２１が記録された内紙１１を探す。この場合、一覧表１７を見ると、この年代にあった出来事が一目で分かるので、その年代の状況を容易に把握することができる。また、一覧表１７の年齢表示欄１９と記載欄２０とを見てから情報を探すことができ、見返したい情報を容易に探すことができる。
【００３５】
その後、上記と同様にして、未来の計画が記載された一覧表１７の記載欄２０に過去の出来事の要約が記載していく。この場合、一覧表１７の記載欄２０を見返すと、人生の計画とその達成状況を比較してみることができ、その後の人生の計画を立て易くすることができる。
【００３６】
尚、実施の形態においては、年代表示部２２，著者表示部２４及びサブタイトル表示部２５は、予め印刷しておいたが、これに限定されるものでなく、各表示部を記録者が記載できるように空白にしておいてもよい。
また、上記実施の形態においては、ファイル単体１０の年代を、２０歳からは１０歳ごとに区分したが、これに限定されるものでなく、例えば、５歳ごとに区分したり、少年期編，青年期編，壮年期編，老年期編といったように、人生のうち連続する期間であればどのように区分しても良い。
更にまた、一覧表１７に年齢とともに西暦や元号を予め印刷したがこれに限定されるものでなく、記録者が記載するようにしてもよく、適宜変更して差し支えない。
尚また、保持部２６を一対のリング２７を有した金具で構成したがこれに限定されるものでなく、複数のリングを有した金具や、内紙１１を挟んで押さえつけるタイプ等、紙状のものを加除可能に綴じることのできるものであればよく、適宜変更して差し支えない。
【図面の簡単な説明】
【００３７】
【図１】本考案の実施の形態に係る人生記録ファイルを示し、（ａ）は箱本体に対し蓋体を閉じた状態で示す図、（ｂ）は箱本体に対し蓋体を開いた状態で示す斜視図である。
【図２】本考案の実施の形態に係る人生記録ファイルのファイル単体を示し、（ａ）はファイル単体を閉じた状態で示す斜視図，（ｂ）はファイル単体を開いた状態でカバー側からみた斜視図，（ｃ）はファイル単体を開いた状態で内紙側からみた斜視図を夫々示している。
【図３】本考案の実施の形態に係る人生記録ファイルのファイル単体を開いた状態で示す斜視図である。
【図４】本考案の実施の形態に係る人生記録ファイルの記録面に一覧表が設けられた内紙を示す図である。
【図５】本考案の実施の形態に係る人生記録ファイルの内紙を、記録面に記念物を貼付した状態で示す図である。
【図６】本考案の実施の形態に係る人生記録ファイルの記録面に一覧表が設けられた内紙を示す図である。
【図７】本考案の実施の形態に係る人生記録ファイルの内紙を、記録面に記念物を貼付した状態で示す図である。
【図８】本考案の実施の形態に係る人生記録ファイルの記録面に一覧表が設けられた内紙を示す図である。
【図９】本考案の実施の形態に係る人生記録ファイルの内紙を、記録面に記念物を貼付した状態で示す図である。
【図１０】本考案の実施の形態に係る人生記録ファイルの記録面に一覧表が設けられた内紙を示す図である。
【図１１】従来の人生記録ファイルの一例を示す図である。
【符号の説明】
【００３８】
１０  ファイル単体
１１  内紙
１１ａ  記録面
１２  表紙
１３  裏表紙
１４  背表紙
１５  カバー
１６  見出し
１７  一覧表
１８  タイトル表示欄
１９  年齢表示欄
２０  記載欄
２１  記念物
２２  年代表示部
２４  著者表示部
２５  サブタイトル表示部
２６  保持部
２７  リング
２８  孔
３０  箱体
３１  箱本体
３２  前壁
３３  側壁
３４  後壁
３５  蓋体
３６  上面
３７  前面
３８  側面
３９  後面
４０  把手
４１  溝
４５  錠機構
【図１】
0003110198.tif 000003
【図２】
0003110198.tif 000004
【図３】
0003110198.tif 000005
【図４】
0003110198.tif 000006
【図５】
0003110198.tif 000007
【図６】
0003110198.tif 000008
【図７】
0003110198.tif 000009
【図８】
0003110198.tif 000010
【図９】
0003110198.tif 000011
【図１０】
0003110198.tif 000012
【図１１】
0003110198.tif 000013
【手続補正書】
【提出日】平成17年2月9日(2005.2.9)
【手続補正１】
【補正対象書類名】実用新案登録請求の範囲
【補正対象項目名】全文
【補正方法】変更
【補正の内容】
【実用新案登録請求の範囲】
【請求項１】
人生に係る情報を記録可能な人生記録ファイルにおいて、
人生の年代毎に人生に係る情報を記録可能な複数のファイル単体を備え、該各ファイル単体を、人生に係る情報を記録可能な記録面を有した内紙と、表紙，裏表紙及び背表紙を有し上記内紙を覆うカバーとを備えて構成し、上記ファイル単体を年代順に並べて収納可能な箱体を備えたことを特徴とする人生記録ファイル。
【請求項２】
上記ファイル単体のカバーの少なくとも上記背表紙の表面に、上記各ファイル単体に記録される情報に係る年代を表示する年代表示部を備えたことを特徴とする請求項１記載の人生記録ファイル。
【請求項３】
上記ファイル単体の内紙の側縁に、該内紙の記録面に記録される情報に係る年齢を表示した見出しを突出して設けたことを特徴とする請求項２記載の人生記録ファイル。
【請求項４】
上記ファイル単体の内紙のうち少なくとも１枚の内紙の記録面に、該ファイル単体の年代の年齢が順に記載された年齢表示欄と該年齢表示欄に記載された年齢に対応する年において該年齢に係る記録の要約を記載可能な記載欄とを有した一覧表を設けたことを特徴とする請求項２または３記載の人生記録ファイル。
【請求項５】
上記ファイル単体を、上記内紙を上記カバーに対して加除可能に保持する保持部を備えて構成したことを特徴とする請求項２，３または４記載の人生記録ファイル。
【請求項６】
上記箱体を、上記複数のファイル単体が入れられる箱本体と、該箱本体に対して開閉可能な蓋体とを備えて構成したことを特徴とする請求項１，２，３，４または５記載の人生記録ファイル。
【請求項７】
上記蓋体に、把持可能な把手を設けたことを特徴とする請求項６記載の人生記録ファイル。
【請求項８】
上記蓋体を、上記箱本体に対して施錠可能な錠機構を設けたことを特徴とする請求項６または７記載の人生記録ファイル。
【手続補正２】
【補正対象書類名】明細書
【補正対象項目名】０００９
【補正方法】変更
【補正の内容】
【０００９】
このような目的を達成するための本考案の人生記録ファイルは、人生に係る情報を記録可能な人生記録ファイルにおいて、人生の年代毎に人生に係る情報を記録可能な複数のファイル単体を備え、該各ファイル単体を、人生に係る情報を記録可能な記録面を有した内紙と、表紙，裏表紙及び背表紙を有し上記内紙を覆うカバーとを備えて構成し、上記ファイル単体を年代順に並べて収納可能な箱体を備えた構成としている。
【手続補正３】
【補正対象書類名】明細書
【補正対象項目名】００１２
【補正方法】変更
【補正の内容】
【００１２】
また、必要に応じ、上記ファイル単体のカバーの少なくとも上記背表紙の表面に、上記各ファイル単体に記録される情報に係る年代を表示する年代表示部を備えて構成している。
この場合、情報をファイル単体に記録したり記録された情報を見返したりする際に、ファイル単体の中身を確認しなくても背表紙の年代表示部を見るだけでファイル単体に記録された情報に係る年代を判別できるので、箱体から即座に所望の年代のファイル単体を取り出すことができる。そのため、記録する所望の箇所を探し易くなりファイル単体の中身も見易くなる。また、内紙がカバーで覆われるので、内紙が汚れにくくなり、保管が容易になる。